(57)【要約】【課題】周囲にギヤ部と回り止め用カム部とを有する間欠ギヤ部材において、薄型化を図ることを課題とする。【解決手段】円板部１２１ａと、この円板部１２１ａの周面に所定角度α１０の範囲に形成してあるギヤ部１２１ｂと、この円板部１２１ａの周面のうち、ギヤ部１２１ｂが形成されていない欠歯部１２１ａ２の周面から突き出してフランジのように形成してある回り止め用カム部１２１ｃとを有する。ギヤ部１２１ｂと回り止め用カム部１２１ｃとは同じ面Ｓ１内に配置してある。【選択図】　　　　図４
2004019849.tif 000002
【特許請求の範囲】
【請求項１】
３６０度以下の角度範囲内で間欠的に往復回動する間欠ギヤ部材において、
円板部と、
該円板部の周面に所定角度範囲に形成してあるギヤ部と、
該円板部の周面のうち、上記ギヤ部が形成されていない欠歯部に、該円板部の周面から突き出して形成してある回り止め用カム部とよりなり、
上記ギヤ部と回り止め用カム部とが同じ面内に配置してある構成としたことを特徴とする間欠ギヤ部材。
【請求項２】
請求項１記載の間欠ギヤ部材において、
上記回り止め用カム部は、
その周方向の端面が、上記ギヤ部が延長されたと仮定した場合の歯の歯面と一致するように形成してある構成としたことを特徴とする間欠ギヤ部材。
【請求項３】
往復回動する駆動ギヤ部材と、該駆動ギヤ部材の一方向の回動によって回転を伝達されて３６０度以下の角度範囲内で回動され、その後に回転の伝達が断たれて回動した位置に停止し、該駆動ギヤ部材が逆方向の回動するときに、回転が再度伝達されて逆方向に回動される従動ギヤ部材とよりなる間欠ギヤ機構において、
上記駆動ギヤ部材は、
周面に所定角度範囲に形成してある駆動ギヤ部と、
駆動ギヤ部に続く円弧状のカム部とよりなる構成であり、
上記従動ギヤ部材は、
円板部と、
該円板部の周面に所定角度範囲に形成してあるギヤ部と、
該円板部の周面のうち、上記ギヤ部が形成されていない部分に、該円板部の周面から突き出して、上記駆動ギヤ部材の円弧状のカム部に対応するように形成してある回り止め用カム部とよりなり、
上記ギヤ部と回り止め用カム部とが同じ面内に配置してある構成であることを特徴とする間欠ギヤ機構。
【請求項４】
請求項３の間欠ギヤ機構において、
上記駆動ギヤ部材は、
周面に所定角度範囲に形成してある駆動ギヤ部の端に位置しており回り止め用カム部を蹴る歯は、他の歯よりもたけが高い構成であることを特徴とする間欠ギヤ機構。
【請求項５】
テープカセットが挿入されるホルダを装着位置に搬送するホルダ搬送機構と、
磁気テープが外周に所定の巻き付け角度で摺接される回転ドラムと、
上記装着位置に到ったホルダ内のテープカセットより引き出された磁気テープの走行位置をガイドするテープガイド部材と、
該テープガイド部材を所定位置に移動させる移動機構とを備えてなる磁気記録再生装置において、
請求項３又は請求項４記載の間欠ギヤ機構が、ホルダ搬送機構の場所に設けてあり、上記従動ギヤ部材が一方向に回動されてホルダを装着位置に搬送し、上記従動ギヤ部材が逆方向に回動されてホルダを元の位置に戻す構成としたことを特徴とする磁気記録再生装置。
【発明の詳細な説明】
【０００１】
【発明の属する技術分野】
本発明は間欠ギヤ部材、間欠ギヤ機構及びこれを備えた磁気記録再生装置に関する。
【０００２】
【従来の技術】
図１２（Ａ），（Ｂ）は従来の１例の間欠ギヤ機構１０を示す。間欠ギヤ機構１０は、従動ギヤ部材としての間欠ギヤ部材２０と駆動ギヤ部材としてのギヤ部材３０とを有する構成である。間欠ギヤ部材２０は、角度α１の範囲に亘って形成してあるギヤ部２１と、角度α２の範囲に亘って形成してある凹円弧状の回り止め用カム部２２と、機構ギヤ部２３とを有する。回り止め用カム部２２はギヤ部２１とは段違いに配置してある。機構ギヤ部２３は回り止め用カム部２２の上側に配置してある。ギヤ部材３０は、ギヤ部２１に対向するギヤ部３１と、回り止め用カム部２２に対向する円弧状のカム部３２とを有する。
【０００３】
最初は、ギヤ部２１とギヤ部３１とがかみ合っている。ギヤ部材３０が矢印Ａ１方向に回動されると、間欠ギヤ部材２０が矢印Ｂ１方向に回動され、間欠ギヤ部材２０が約角度α１回動されると、ギヤ部３１がギヤ部２１から外れると同時に回り止め用カム部２２がカム部３２と嵌合して、間欠ギヤ部材２０の回動が規制されて停止して間欠ギヤ部材２０はこの回動位置に留まる。ギヤ部材３０が逆転して矢印Ａ２方向に回動された場合にも、間欠ギヤ部材２０は停止したままである。ギヤ部材３０が回動すると、カム部３２が回り止め用カム部２２から外れ、ギヤ部３１がギヤ部２１にかみ合い、間欠ギヤ部材２０が矢印Ｂ２方向に回動を開始する。機構ギヤ部２３が機構を動作させる。
【０００４】
図１３（Ａ），（Ｂ）は従来の別の例の間欠ギヤ機構４０を示す。間欠ギヤ機構４０は、従動ギヤ部材としての間欠ギヤ部材５０と駆動ギヤ部材としてのギヤ部材６０とを有する構成である。間欠ギヤ部材５０は、角度α１の範囲に亘って形成してあるギヤ部５１と、角度α２の範囲に亘る歯が形成されていない欠歯部５２、機構ギヤ部５３とを有する。間欠ギヤ部材５０は、トーションコイルばね５４によって矢印Ｂ２方向に回動付勢されている。ギヤ部材６０は、ギヤ部６１と円弧状のカム部６２とを有する。
【０００５】
最初は、ギヤ部５１とギヤ部６１とがかみ合っている。ギヤ部材６０が矢印Ａ１方向に回動されると、間欠ギヤ部材５０が矢印Ｂ１方向に回動され、間欠ギヤ部材５０が約角度α１回動されると、ギヤ部６１がギヤ部５１から外れて、カム部６２が欠歯部５２に対向し、ギヤ部材６０から間欠ギヤ部材５０への回動の伝達が断たれ、間欠ギヤ部材５０が停止する。間欠ギヤ部材５０は、トーションコイルばね５４によって矢印Ｂ２方向に回動付勢され、ギヤ部５１の端の歯５１ａがカム部６２に当たって回動を制限されて、この回動位置に規制されて留まる。ギヤ部材６０が逆転して矢印Ａ２方向に所定角度回動されると、カム部６２が欠歯部５２から出て、ギヤ部６１がギヤ部５１とかみ合い、間欠ギヤ部材５０が矢印Ｂ２方向に回動を開始する。
【０００６】
【発明が解決しようとする課題】
図１２（Ａ），（Ｂ）の間欠ギヤ機構１０においては、間欠ギヤ部材２０は回り止め用カム部２２がギヤ部２１とは段違いに配置してある構成であるため、間欠ギヤ部材２０は厚さ寸法がかさばってＨ１となり、薄型化が難しかった。
【０００７】
図１３（Ａ），（Ｂ）の間欠ギヤ機構４０においては、間欠ギヤ部材５０は回り止め用カム部を有しない構造であるため、間欠ギヤ部材５０は厚さが薄く寸法Ｈ２となる。しかし、歯５１ａとカム部６２とが擦れ合うため、磨耗及び磨耗が原因での寿命の問題が起き、また、トーションコイルばね５４が必要となって部品点数が増えてしまっていた。
【０００８】
そこで、本発明は、上記課題を解決した間欠ギヤ部材、間欠ギヤ機構及びこれを備えた磁気記録再生装置を提供することを目的とする。
【０００９】
【課題を解決するための手段】
請求項１の発明は、３６０度以下の角度範囲内で間欠的に往復回動する間欠ギヤ部材において、
円板部と、
該円板部の周面に所定角度範囲に形成してあるギヤ部と、
該円板部の周面のうち、上記ギヤ部が形成されていない欠歯部に、該円板部の周面から突き出して形成してある回り止め用カム部とよりなり、
上記ギヤ部と回り止め用カム部とが同じ面内に配置してある構成としたものである。
【００１０】
請求項２の発明は、請求項１記載の間欠ギヤ部材において、
上記回り止め用カム部は、
その周方向の端面が、上記ギヤ部が延長されたと仮定した場合の歯の歯面と一致するように形成してある構成としたものである。
【００１１】
請求項３の発明は、往復回動する駆動ギヤ部材と、該駆動ギヤ部材の一方向の回動によって回転を伝達されて３６０度以下の角度範囲内で回動され、その後に回転の伝達が断たれて回動した位置に停止し、該駆動ギヤ部材が逆方向の回動するときに、回転が再度伝達されて逆方向に回動される従動ギヤ部材とよりなる間欠ギヤ機構において、
上記駆動ギヤ部材は、
周面に所定角度範囲に形成してある駆動ギヤ部と、
駆動ギヤ部に続く円弧状のカム部とよりなる構成であり、
上記従動ギヤ部材は、
円板部と、
該円板部の周面に所定角度範囲に形成してあるギヤ部と、
該円板部の周面のうち、上記ギヤ部が形成されていない部分に、該円板部の周面から突き出して、上記駆動ギヤ部材の円弧状のカム部に対応するように形成してある回り止め用カム部とよりなり、
上記ギヤ部と回り止め用カム部とが同じ面内に配置してある構成としたものである。
【００１２】
請求項４の発明は、請求項３の間欠ギヤ機構において、
上記駆動ギヤ部材は、
周面に所定角度範囲に形成してある駆動ギヤ部の端に位置しており回り止め用カム部を蹴る歯は、他の歯よりもたけが高い構成であるようにしたものである。
【００１３】
請求項５の発明は、テープカセットが挿入されるホルダを装着位置に搬送するホルダ搬送機構と、
磁気テープが外周に所定の巻き付け角度で摺接される回転ドラムと、
上記装着位置に到ったホルダ内のテープカセットより引き出された磁気テープの走行位置をガイドするテープガイド部材と、
該テープガイド部材を所定位置に移動させる移動機構とを備えてなる磁気記録再生装置において、
請求項３又は請求項４記載の間欠ギヤ機構が、ホルダ搬送機構の場所に設けてあり、上記従動ギヤ部材が一方向に回動されてホルダを装着位置に搬送し、上記従動ギヤ部材が逆方向に回動されてホルダを元の位置に戻す構成としたものである。
【００１４】
【発明の実施の形態】
説明の便宜上、先ず本発明の一実施例になる間欠ギヤ機構が適用してある磁気記録再生装置１００について概略的に説明する。
【００１５】
図１、図２及び図３に示すように、磁気記録再生装置１００は、ストリーマ装置であり、例えば、コンピュータの外部記憶装置として用いられる。磁気記録再生装置１００は、テープカセット（図示せず）が挿入されるホルダ１０１と、ホルダ１０１を装着位置に移動するホルダ移動機構１０２と、テープカセットのリールに巻回された磁気テープ（図示せず）を引き出すテープローディング機構１０３と、テープローディング機構１０３により磁気テープを所定角度巻き付けられる回転ドラムユニット１０４と、テープカセットのリールを回転駆動するリール駆動機構１０５，１０６と、ピンチローラ機構１０７と、これらの各機構を支持するメインシャーシ１０８とから概略構成されている。
【００１６】
メインシャーシ１０８の中央に、支持リング部材１１０が固定してあり、この支持リング部材１１０に、駆動リングギヤ部材１１１、Ｒリングギヤ部材１１２、Ｌリングギヤ部材１１３が重なって独立に回動可能に支持されている。Ｒリングギヤ部材にテープガイドポストユニット１１４が固定してあり、Ｌリングギヤ部材１１３にテープガイドポストユニット１１５が固定してある。
【００１７】
図３に示すように、メインシャーシ１０８上には、駆動リングギヤ部材１１１の周囲に、ギヤ部材１２０、間欠ギヤ部材１２１、間欠ギヤ部材１２２、ギヤ組立体１２３、ギヤ組立体１２４、間欠ギヤ部材１２５が配置してある。
【００１８】
モータ１３０が始動されるとこの回転が減速されてギヤ部材１２０を介して駆動リングギヤ部材１１１に伝達されて、駆動リングギヤ部材１１１が反時計方向に回動される。駆動リングギヤ部材１１１の回動が間欠ギヤ部材１２１、間欠ギヤ部材１２２、間欠ギヤ部材１２５に所定のタイミングで伝達され、間欠ギヤ部材１２１、間欠ギヤ部材１２２、間欠ギヤ部材１２５が間欠的に回動される。間欠ギヤ部材１２１の回動はホルダ移動機構１０２を動作させ、テープカセットが装着される。間欠ギヤ部材１２２が回動すると、ギヤ組立体１２３を介してＬリングギヤ部材１１３が時計方向に回動され、同時に、ギヤ組立体１２３、１２４を介してＲリングギヤ部材１１２が反時計方向に回動され、テープガイドポストユニット１１４、１１５が移動されて、磁気テープがテープカセットから引き出されて回転ドラムユニット１０４に巻き付けられる。間欠ギヤ部材１２５の回動はピンチローラ機構１０７を動作させ、ピンチローラ１３５が磁気テープを挟んでキャプスタン１３６に圧着される。
【００１９】
磁気テープがキャプスタン１３６とピンチローラ１３５とによって挟持駆動されて回転ドラムユニット１０４の周囲に沿って往復走行され、情報が記録される。
【００２０】
次に、間欠ギヤ部材１２１と駆動リングギヤ部材１１１との部分について説明する。
【００２１】
図４（Ａ），（Ｂ）に示すように、間欠ギヤ部材１２１は、円板部１２１ａと、この円板部１２１ａの周面に所定角度α１０の範囲に形成してあるギヤ部１２１ｂと、この円板部１２１ａの周面のうち、ギヤ部１２１ｂが形成されていない欠歯部１２１ａ２の周面から突き出してフランジのように形成してある回り止め用カム部１２１ｃと、円板部１２１ａの上面のギヤ部１２１ｄとよりなる構成である。ギヤ部１２１ｂと回り止め用カム部１２１ｃとは同じ面Ｓ１内に配置してある構成であり、間欠ギヤ部材１２１は厚さ寸法がＨ１０であり、薄型である。
【００２２】
ギヤ部１２１ｂは、歯１２１ｂ−１〜歯１２１ｂ−ｎよりなる。１２１ｂ−（ｎ＋１）、１２１ｂ−（ｎ＋２）は、ギヤ部１２１ｂを反時計方向に延長した場合の仮想の第１番目の歯、及び第２番目の歯である。
【００２３】
回り止め用カム部１２１ｃは、外周面にカム面１２１ｃ１を有する。このカム面１２１ｃ１は、後述する駆動リングギヤ部材１１１の円弧状カム１１１ｃに対応する形状であり、凹状の円弧である。
【００２４】
回り止め用カム部１２１ｃと歯１２１ｂ−ｎとの間には凹部１４０を有する。回り止め用カム部１２１ｃの時計方向の端面１２１ｃ２は、第２番目の仮想の歯１２１ｂ−（ｎ＋２）の歯面と一致している。よって、後述するように、駆動リングギヤ部材１１１のギヤ部１１１ｂがギヤ部１２１ｂとかみ合う動作が円滑になされる。
【００２５】
１４１は、間欠ギヤ部材１２１が停止しているときの、間欠ギヤ部材１２１の中心Ｏ１２１と駆動リングギヤ部材１１１の中心Ｏ１１１とを結ぶ線である。回り止め用カム部１２１ｃは、線１４１より時計方向への張り出し角度がα１１、線１４１より反時計方向への張り出し角度がα１２であり、α１２＞α１１であり、反時計方向に角度α１１より大きく張り出している。よって、カム面１２１ｃ１の長さＬ１０が長くなっており、間欠ギヤ部材１２１の停止状態の規制は安定となる。
【００２６】
ギヤ部１２１ｄは、図１及び図２に示すように、ホルダ移動機構１０２のラック１０２ａとかみ合っている。
【００２７】
図５（Ａ），（Ｂ）に示すように、駆動リングギヤ部材１１１は、リング部１１１ａの周面に、所定角度α２０の範囲に形成してあるギヤ部１１１ｂと、このギヤ部１１１ｂに続く円弧状のカム部１１１ｃとを有する構成である。ギヤ部１１１ｂとカム部１１１ｃとは同じ面Ｓ２に位置しており、駆動リングギヤ部材１１１は厚さ寸法がＨ１１であり、薄型である。ギヤ部１１１ｂは、歯１１１ｂ−１〜歯１１１ｂ−ｎよりなる。最初の歯１１１ｂ−１及び最後の歯１１１ｂ−ｎは、他の歯１１１ｂ−２、１１１ｂ−３、１１１ｂ−（ｎ−１）よりもたけが高い。後述するように、回り止め用カム部１２１ｃを蹴る動作が確実になされるようにするためである。
【００２８】
図６は間欠ギヤ機構１５０を示す。間欠ギヤ機構１５０は、駆動ギヤ部材としての駆動リングギヤ部材１１１と、従動ギヤ部材としての間欠ギヤ部材１２１とがかみ合っている構成である。
【００２９】
駆動リングギヤ部材１１１及び間欠ギヤ部材１２１が共に薄いため、間欠ギヤ機構１５０は薄型である。
【００３０】
次に、間欠ギヤ機構１５０における回転の伝達について説明する。
【００３１】
図７（Ａ）は初期の状態である。歯１２１ｂ−１が歯１１１ｂ−１と歯１２１ｂ−２との間に噛んでいる。
【００３２】
駆動リングギヤ部材１１１はＡ１方向に約２７３度回動して停止し、停止状態に保持され、その後に、Ａ２方向に回動されて、元の位置に戻される。
【００３３】
駆動リングギヤ部材１１１がＡ１方向に回動されると、ギヤ部１１１ｂがギヤ部１２１ｂとかみ合って間欠ギヤ部材１２１ｂがＢ１方向に回動を開始し、図７（Ｂ）に示す状態となり、更には、図８（Ａ）示す状態、続いて図８（Ｂ）に示す状態、続いて図９（Ａ）に示す状態となる。図８（Ａ）は、歯１１１ｂ−（ｎ−２）が歯１２１ｂ−（ｎ−１）と歯１２１ｂ−ｎとの間にかみ合って間欠ギヤ部材１２１ｂがＢ１方向に回動され、且つ、歯１１１ｂ−（ｎ−１）と歯１１１ｂ−ｎとが、歯１２１ｂ−ｎと回り止め用カム部１２１ｃとの間の凹部１４０に入り込もうとしている状態である。図８（Ｂ）は、歯１１１ｂ−（ｎ−１）と歯１１１ｂ−ｎとが凹部１４０に入り込んで、歯１１１ｂ−（ｎ−１）が歯１２１ｂ−ｎを押しており、且つ、カム部１１１ｃの端の部分１１１ｃ１が回り止め用カム部１２１ｃのカム面１２１ｃ１に当たろうとしている状態である。図９（Ａ）は、歯１１１ｂ−（ｎ−１）と歯１１１ｂ−ｎとが凹部１４０から抜け出し、カム部１１１ｃの端の部分１１１ｃ１が回り止め用カム部１２１ｃのカム面１２１ｃ１に当たって回り止め用カム部１２１ｃがカム部１１１ｃに沿った状態である。
【００３４】
この後は、駆動リングギヤ部材１１１から間欠ギヤ部材１２１ｂへの回転の伝達が断たれ、駆動リングギヤ部材１１１だけがＡ１方向に回動され、間欠ギヤ部材１２１ｂは回動せずに停止した状態に維持される。間欠ギヤ部材１２１ｂは、回り止め用カム部１２１ｃのカム面１２１ｃ１をカム部１１１ｃによって停止位置規制されて、その停止した位置に維持される。ここで、カム面１２１ｃ１の長さＬ１０が長いため、間欠ギヤ部材１２１の停止位置への規制は安定になされる。
【００３５】
駆動リングギヤ部材１１１がＡ２方向に回動された場合には、途中から間欠ギヤ部材１２１ｂへの回転の伝達が開始される。ギヤ部１１１ｂとギヤ部１２１ｂとのかみ合いは、上記とは逆に、図９（Ａ）に対応する図１０（Ａ）に示す状態、続いて図８（Ｂ）に対応する図１０（Ｂ）に示す状態、続いて図８（Ａ）に対応する図１１に示す状態を経て、開始される。
【００３６】
図１０（Ａ）は、カム部１１１ｃの端の部分１１１ｃ１が回り止め用カム部１２１ｃのカム面１２１ｃ１に到り、歯１１１ｂ−ｎが回り止め用カム部１２１ｃの端面１２１ｃ２に当たろうとする状態である。ここで、歯１１１ｂ−ｎのたけが高いため、歯１１１ｂ−ｎは回り止め用カム部１２１ｃの端面１２１ｃ２に確実に当たる。
【００３７】
図１０（Ｂ）は、歯１１１ｂ−ｎが回り止め用カム部１２１ｃの端面１２１ｃ２を押して間欠ギヤ部材１２１ｂがＢ２方向に回動され、歯１１１ｂ−（ｎ−１）と歯１１１ｂ−ｎとが凹部１４０に入り込んだ状態である。
【００３８】
図１１は、歯１１１ｂ−（ｎ−２）が歯１２１ｂ−（ｎ−１）と歯１２１ｂ−ｎとの間にかみ合い、歯１１１ｂ−（ｎ−１）と歯１１１ｂ−ｎとが凹部１４０から抜け出した状態である。
【００３９】
ここで、回り止め用カム部１２１ｃの端面１２１ｃ２は第２番目の仮想の歯１２１ｂ−（ｎ＋２）の歯面と一致しているように定めてあるため、歯１１１ｂ−（ｎ−１）と歯１１１ｂ−ｎとの凹部１４０への嵌合が円滑に行われ、且つ、歯１１１ｂ−（ｎ−２）の歯１２１ｂ−（ｎ−１）と歯１２１ｂ−ｎとの間へのかみ合いが円滑に行われ、駆動リングギヤ部材１１１のギヤ部１１１ｂがギヤ部１２１ｂとかみ合う動作が円滑になされる。
【００４０】
この後は、駆動リングギヤ部材１１１から間欠ギヤ部材１２１ｂへの回転の伝達が開始され、図７（Ｂ）の状態を経て、図７（Ａ）に示す初期の状態となる。
【００４１】
間欠ギヤ部材１２１ｂを回動付勢するばね部材は設けられていないため、間欠ギヤ機構１５０は少ない部品点数で構成してある。また、間欠ギヤ部材１２１ｂは回動付勢されていないため、磨耗の問題は起きない。
【００４２】
【発明の効果】
上述の如く、本発明の間欠ギヤ部材によれば、ギヤ部と回り止め用カム部とが同じ面内に配置してある構成としたものであるため、従来のギヤ部と回り止め用カム部とが段差を持たせて配置してある構成の間欠ギヤ部材に比べて、薄型に構成することが出来る。また、本発明の間欠ギヤ機構によれば、上記の構成に間欠ギヤ部材を使用した構成であるため、従来の構成の間欠ギヤ機構に比べて、薄型に構成することが出来る。また、本発明の磁気記録装置によれば、従来の構成の磁気記録装置に比べて、薄型に構成することが出来る。
【図面の簡単な説明】
【図１】本発明の一実施例になる磁気記録再生装置の斜視図である。
【図２】図１の磁気記録再生装置の平面図である。
【図３】図１及び図２の磁気記録再生装置のギヤ機構を示す斜視図である。
【図４】本発明の一実施例になる間欠ギヤ部材を示す図である。
【図５】駆動リングギヤ部材を示す図である。
【図６】本発明の一実施例になる間欠ギヤ機構を示す図である。
【図７】駆動リングギヤ部材がＡ１方向に回動したときの、間欠ギヤ機構の動作を示す図である。
【図８】図７に続く間欠ギヤ機構の動作を示す図である。
【図９】図８に続く間欠ギヤ機構の動作を示す図である。
【図１０】駆動リングギヤ部材が戻るときの、間欠ギヤ機構の動作を示す図である。
【図１１】図１０に続く間欠ギヤ機構の動作を示す図である。
【図１２】従来の１例の間欠ギヤ部材を示す図である。
【図１３】従来の別の例の間欠ギヤ部材を示す図である。
【符号の説明】
１００　磁気記録再生装置
１０１　ホルダ
１０２　ホルダ移動機構
１０３　テープローディング機構
１０４　回転ドラムユニット
１１０　支持リング部材
１１１　駆動リングギヤ部材
１１１ａ　リング部
１１１ｂ　ギヤ部
１１１ｂ−１〜１１１ｂ−ｎ　歯
１１１ｃ　円弧状のカム部
１２１　間欠ギヤ部材
１２１ａ　円板部
１２１ｂ　ギヤ部
１２１ｃ　回り止め用カム部
１４０　凹部
【図１】
2004019849.tif 000003
【図２】
2004019849.tif 000004
【図３】
2004019849.tif 000005
【図４】
2004019849.tif 000006
【図５】
2004019849.tif 000007
【図６】
2004019849.tif 000008
【図７】
2004019849.tif 000009
【図８】
2004019849.tif 000010
【図９】
2004019849.tif 000011
【図１０】
2004019849.tif 000012
【図１１】
2004019849.tif 000013
【図１２】
2004019849.tif 000014
【図１３】
2004019849.tif 000015